(57)【要約】【課題】引戸構造に何ら手を加えることなく、中間扉用上レールに簡単なスライダーを単にはめ込むだけで連動引戸として使用することができるようにした。【解決手段】平行な３本の上レールにそれぞれ滑走体を介して滑動自在に装着された外側扉、中間扉、内側扉を含み、中間扉２の前後の滑走体２ａ、２ｂの間に左右一対のスライダー５，６がレール４ｂに滑動自在に装着されている。この各スライダーには外側扉１並びに内側扉３の移行経路に延出する当接片が設けられており、全ての扉を左方に全開したときに左側のスライダー５の本体部分が中間扉２の滑走体２ａに当接すると共に一方の当接片５ａが外側扉１の滑走体１ａの左側に当接し他方の当接片５ｂが内側扉の滑走体３ａの右側に位置するように配置され、且つ右側のスライダー６の本体部分が中間扉２の滑走体２ｂに当接すると共に一方の当接片６ｂが内側扉３の滑走体３ｂの右側に当接し他方の当接片６ａが外側扉１の滑走体１ｂの左側に位置するように配置されている構造。【選択図】        図１
2004190234.tif 000002
【特許請求の範囲】
【請求項１】
互いに隣接して平行に配置された３本の上レール（４ａ）、（４ｂ）、（４ｃ）にそれぞれ滑走体（１ａ）、（１ｂ）、（２ａ）、（２ｂ）、（３ａ）、（３ｂ）を介して滑動自在に装着された外側扉（１）、中間扉（２）並びに内側扉（３）を含み、
前記滑走体（１ａ）、（１ｂ）、（２ａ）、（２ｂ）、（３ａ）、（３ｂ）は各扉（１）、（２）、（３）の上端面の前後両端近傍に配置され、中間扉（２）の前後の滑走体（２ａ）、（２ｂ）の間で且つ扉上端面とレール（４ｂ）との間に左右一対のスライダー（５）、（６）がレール（４ｂ）に滑動自在に装着され、
各スライダー（５）、（６）には外側扉（１）並びに内側扉（３）の移行経路に延出する当接片（５ａ）、（５ｂ）、（６ａ）、（６ｂ）が設けられており、全ての扉（１）、（２）、（３）を左方に全開したときに左側のスライダー（５）の本体部分が中間扉（２）の滑走体（２ａ）に当接すると共に一方の当接片（５ａ）が外側扉（１）の滑走体（１ａ）の左側に当接し他方の当接片（５ｂ）が内側扉（３）の滑走体（３ａ）の右側に位置するように配置され、且つ右側のスライダー（６）の本体部分が中間扉（２）の滑走体（２ｂ）に当接すると共に一方の当接片（６ｂ）が内側扉（３）の滑走体（３ｂ）の右側に当接し他方の当接片（６ａ）が外側扉（１）の滑走体（１ｂ）の左側に位置するように配置されている連動引戸。
【請求項２】
前記スライダー（５）、（６）はレール（４ｂ）に嵌合して滑動するスライド部（５ｃ），（６ｃ）を備え、該スライド部（５ｃ）、（６ｃ）はレール（４ｂ）に対して下方から弾性嵌合できるように形成されている請求項１に記載の連動引戸。
【発明の詳細な説明】
【０００１】
【発明の属する技術分野】
本発明は、三枚の引戸が連動して開閉するようにした連動引戸に関するものである。
【０００２】
【従来の技術】
従来、外側の引戸を開閉すると、中間の引戸並びに内側の引戸が連動片を介して連動して開閉する構造のものは例えば実開閉６ー２２４８７号公報等で公知である。この公知の引戸では、内側の扉から突出した掛止部が中間の扉の掛合部に当接し、中間の扉から突出した掛止部が外側の扉の掛合部に当接して各扉が連動して開閉する構造となっている。しかしこのような構造では扉自体に予め掛止部や掛合部を形成しておかねばならず、一般に使用されている引戸をそのままの状態で使用することができない。
【０００３】
また別の公知例として特開閉１１ー２２９７１２号で開示されたものがある。この公知例では、中間の扉体の前後両端近傍に該扉体と共に移動する扉用連動体を取り付け、この扉用連動体に側扉体のガイドピボットを受ける被係合受部を設けて左右の側扉体と中間の扉体とが連動するように形成されており、前記した実開閉６ー２２４８７号公報の構造のものと基本的には同じ考え方のものである。この後者の場合も、扉用連動体を中間の扉体に共に移動するように組み付けねばならず、一般に使用されている引戸をそのままの状態で使用することができない。
【０００４】
【発明が解決しようとする課題】
そこで本発明は、少なくとも平行に敷設された３本の専用上レールに沿って走行する３枚の扉からなる引戸であって、引戸構造に何ら手を加えることなく、中間の扉体用上レールに簡単なスライダーを単にはめ込むだけで連動引戸として使用することができるようにし、もって安価で施工の簡単な連動引戸を提供することを主たる目的とするものである。
【０００５】
【課題を解決するための手段】
上記目的を達成する為に本発明では次のような技術的手段を講じた。即ち、本発明に係る連動引戸にあっては、互いに隣接して平行に配置された３本の上レール４ａ、４ｂ、４ｃにそれぞれ滑走体１ａ、１ｂ、２ａ、２ｂ、３ａ、３ｂを介して滑動自在に装着された外側扉１、中間扉２並びに内側扉３を含み、前記滑走体１ａ、１ｂ、２ａ、２ｂ、３ａ、３ｂは各扉１，２，３の上端面の前後両端近傍に配置され、中間扉２の前後の滑走体２ａ、２ｂの間で且つ扉上端面とレール４ｂとの間に左右一対のスライダー５，６がレール４ｂに滑動自在に装着され、前記各スライダー５、６には外側扉１並びに内側扉３の移行経路に延出する当接片５ａ、５ｂ、６ａ、６ｂが設けられており、全ての扉１，２，３を左方に全開したときに左側のスライダー５の本体部分が中間扉２の滑走体２ａに当接すると共に一方の当接片５ａが外側扉１の滑走体１ａの左側に当接し他方の当接片５ｂが内側扉３の滑走体３ａの右側に位置するように配置され、且つ右側のスライダー６の本体部分が中間扉２の滑走体２ｂに当接すると共に一方の当接片６ｂが内側扉３の滑走体３ｂの右側に当接し他方の当接片６ａが外側扉１の滑走体１ｂの左側に位置するように配置されてい構造とした。
【０００６】
前記スライダー５，６はレール４ｂに嵌合して滑動するスライド部５ｃ，６ｃを備え、該スライド部５ｃ、６ｃはレール４ｂに対して下方から弾性嵌合できるように形成するのがよい。
【０００７】
【発明の実施の形態】
以下本発明にかかる連動引戸の実施例を図面に基づいて説明する。
家具や建具等の天板の下面に互いに隣接して３本のレール４ａ、４ｂ、４ｃが平行に配置され、これらレールにそれぞれ一対の滑走体１ａ、１ｂ、２ａ、２ｂ、３ａ、３ｂを介して外側扉１、中間扉２、内側扉３が滑動自在に取り付けられている。前記滑走体１ａ、１ｂ、２ａ、２ｂ、３ａ、３ｂはピボット軸で形成され、且つ各扉１，２，３の上端面の前後両端近傍に配置されている。また各扉１，２，３の下端は下レール７に沿って走行する走行車輪８が設けられている。上記の構成は一般的な引戸の構造である。
【０００８】
而して本発明では、前記中間扉２の前後の滑走体２ａ、２ｂの間で且つ扉上端面とレール４ｂとの間に左右一対のスライダー５，６がレール４ｂに滑動自在に装着されている。この各スライダー５、６には外側扉１並びに内側扉３の移行経路に延出する当接片５ａ、５ｂ、６ａ、６ｂが設けられており、全ての扉１，２，３を図１に示すように左方に全開したときに、左側のスライダー５の本体部分が中間扉２の左側の滑走体２ａに当接すると共に一方の当接片５ａが外側扉１の滑走体１ａの左側に当接し他方の当接片５ｂが内側扉３の滑走体３ａの右側に位置するように配置され、且つ右側のスライダー６の本体部分が中間扉２の滑走体２ｂに当接すると共に一方の当接片６ｂが内側扉３の滑走体３ｂの右側に当接し他方の当接片６ａが外側扉１の滑走体１ｂの左側に位置するように配置されるように形成されている。
【０００９】
本実施例では、前記スライダー５，６は図５で示すように、レール４ｂに嵌合して滑動するスライド部５ｃ，６ｃを備えている。該スライド部５ｃ、６ｃは先端に指向性を有する矢先状の膨出部分を備え且つ内側に弾性変形できるように形成されており、このスライド部５ｃ、６ｃを図６並びに図７で示すようにレール４ｂに対して下方から押し込むことによりレール４ｂに弾性嵌合できるように形成されている。従ってレール４ｂに押し込むだけでワンタッチでスライダー５，６を取り付けることができる。また構造上、合成樹脂による一体成形が可能で安価に製作できる。
【００１０】
次いで動作を説明する。今図１の全開姿勢から外側扉１を右方向、即ち閉じ方向に移動させると、図２に示すように外側扉１の滑走帯１ａが右側のスライダー６の当接片６ａに当接する。更に外側扉を移動させると右側スライダー６と共に中間扉２も移動して図３に示すように全扉を閉じることができる。又図３の閉じ位置から外側扉を左方向に開けると、外側扉１の滑走帯１ａが左側のスライダー５の当接片５ａに当接して該スライダー５と共に中間扉２も左方に移動し図１の全開姿勢にすることができる。
【００１１】
上記実施例では、滑走体１ａ、１ｂ、２ａ、２ｂ、３ａ、３ｂをピボット軸で形成したが、図８に示すように一般的な滑走ローラーで形成することも可能である。この場合はスライダー５，６の当接片は滑走ローラーの軸部に当接して動作する。
【００１２】
以上本発明の代表的と思われる実施例について説明したが、本発明は必ずしもこれらの実施例構造のみに限定されるものではない。例えば前記スライダー５，６はレール４ｂに沿って滑動する構造であればどのようなものであってもよい。その他本発明では前記の構成要件を備え、かつ前記の目的を達成し、下記の効果を有する限りにおいては適宜に改変して実施することができる。
【００１３】
【発明の効果】
本発明の連動引戸は上記のごとく構成したから、平行に敷設された３本の専用上レールに沿って滑走体を介して走行する３枚の扉体からなる従来の引戸に対して、引戸構造に何ら手を加えることなく、中間扉用の上レールに一対のスライダーを単にはめ込むだけで簡単に連動引戸に組み替えることができ、しかもスライダーが一体成形可能な簡単な構造であるから安価で製作でき、これにより極めて低コストで連動引戸を提供することができる、といった顕著な効果がある。
【図面の簡単な説明】
【図１】本発明に係る連動引戸の上方から見た動作図で、扉全開時姿勢を示す。
【図２】上記連動引戸の動作図で、扉の閉じ過程を示す。
【図３】上記連動引戸の動作図で、扉を閉じた姿勢を示す。
【図４】上記連動引戸の側面図。
【図５】本発明におけるスライダーの一実施例を斜視図。
【図６】上記スライダーをレール４ｂに嵌合する前を示す側面図。
【図７】上記スライダーをレール４ｂに嵌合した状態を示す側面図。
【図８】本発明に係る連動引戸の滑走体部分の他の実施例を示す側面図。
【符号の説明】
１  外側扉
１ａ、１ｂ  外側扉の滑走体
２  中間扉
２ａ、２ｂ  中間扉の滑走体
３  内側扉
３ａ、３ｂ  内側扉の滑走体
４ａ、４ｂ、４ｃ  レール
５、６  スライダー
５ａ、５ｂ、６ａ、６ｂ  当接片
５ｃ、６ｃ  スライド部
【図１】
2004190234.tif 000003
【図２】
2004190234.tif 000004
【図３】
2004190234.tif 000005
【図４】
2004190234.tif 000006
【図５】
2004190234.tif 000007
【図６】
2004190234.tif 000008
【図７】
2004190234.tif 000009
【図８】
2004190234.tif 000010